(57)【特許請求の範囲】
【請求項１】
食品を加熱するマグネトロンと、
前記マグネトロンに高電圧を供給するための高圧トランスと、
所定の交流電源と前記高圧トランスを電気的に接続する第１の状態と、前記所定の交流電源と前記高圧トランスの接続を解除する第２の状態を取ることのできるリレーと、
前記リレーの動作を制御するとともに、前記所定の交流電源の供給する電圧の位相である電源電圧位相を検出できる制御部とを備え、
前記制御部は、前記リレーを、前回の前記第１の状態から前記第２の状態に切換えた時点での前記電源電圧位相に応じた電源電圧位相で、前記第２の状態から前記第１の状態に切換えて高圧トランスへの電力の供給を開始させるとともに、前記第２の状態から前記第１の状態に切換える前に、前記第２の状態から前記第１の状態に向けて、前記第１の状態となる手前まで、予備的に動作させることを特徴とする電子レンジ。
【請求項２】
前記制御部は、前回の前記第１の状態から前記第２の状態に切換えた時点での前記電源電圧位相を検出できなかった場合には、前記電源電圧位相が特定の位相にある時点で、前記高圧トランスへの電力の供給を開始させることを特徴とする請求項１に記載の電子レンジ。
【請求項３】
前記制御部は、前記リレーに、複数回、前記予備的な動作を実行させることを特徴とする請求項１または請求項２に記載の電子レンジ。
【請求項４】
前記制御部は、前記リレーに前記予備的な動作をさせた後は、前記リレーを前記第２の状態に戻すことを特徴とする請求項１から請求項３のうちいずれか１つに記載の電子レンジ。
【発明の詳細な説明】
【０００１】
【発明の属する技術分野】
本発明は、電子レンジに関し、特に、高圧トランスへの突入電流の抑えられた電子レンジに関する。
【０００２】
【従来の技術】
電子レンジでは、マグネトロンから高周波の電波が発振されることにより、食品が加熱される。なお、マグネトロンへ電力を供給するために、電子レンジでは、高圧トランスが搭載されている。
【０００３】
トランスは、コアに、磁性材料を用いられているため、磁界Ｈと磁束密度Ｂにヒステリシス特性を有する（図１１（Ａ）参照）。また、図１１（Ｂ）に、高圧トランスの電圧波形（破線）と、磁束波形（実線：電流波形）を示す。
【０００４】
トランスにおいて、磁束の位相は、電圧位相よりもπ／２だけ進んでいる。また、図１１から理解されるように、高圧トランスに生じる励磁束は、−Φから＋Φまで変化する。そして、磁束が０、すなわち、電圧が最大となる位相であるＰ点またはＱ点において、高圧トランスへの電力の供給が開始されると、当該高圧トランスに生じる突入電流を小さく抑えることができる。
【０００５】
なお、実際に、高圧トランスへの電力の供給は、パワーリレーのＯＮ／ＯＦＦを制御することにより、制御される。ただし、パワーリレーの動作時間のバラつきにより、高圧トランスへの電力供給のタイミングにバラつきが生じ、これにより、高圧トランスに生じる突入電流が大きくなることがあった。
【０００６】
そして、特開平２−１６０３９３号公報では、パワーリレーの動作時間のバラつきを抑えるために、パワーリレーの動作時間を短くする技術が開示されている。
【０００７】
【発明が解決しようとする課題】
しかしながら、上記の公報に記載の技術だけでは、高圧トランスへの電力供給開始時の突入電流を完全に抑えることはできなかった。
【０００８】
本願発明者がその原因を鋭意検討した結果、高圧トランスへの電力供給開始時の突入電流を抑えるには、従来に増して、交流電源から高圧トランスへの電力を供給するタイミングを正確に制御することが必要であると考えられた。また、高圧トランスへの電力供給開始時の突入電流は、その直前に、当該高圧トランスへの電力の供給を停止した際の、当該高圧トランスにおける残留磁束の状態によっても、影響を受けることがわかった。
【０００９】
本発明は、かかる実情に鑑み考え出されたものであり、その目的は、高圧トランスにおける突入電流を抑えることのできる電子レンジを提供することである。
【００１０】
【課題を解決するための手段】
本発明に従った電子レンジは、食品を加熱するマグネトロンと、前記マグネトロンに高電圧を供給するための高圧トランスと、所定の交流電源と前記高圧トランスを電気的に接続する第１の状態と、前記所定の交流電源と前記高圧トランスの接続を解除する第２の状態を取ることのできるリレーと、前記リレーの動作を制御するとともに、前記所定の交流電源の供給する電圧の位相である電源電圧位相を検出できる制御部とを備え、前記制御部は、前記リレーを、前回の前記第１の状態から前記第２の状態に切換えた時点での前記電源電圧位相に応じた電源電圧位相で、前記第２の状態から前記第１の状態に切換えて高圧トランスへの電力の供給を開始させるとともに、前記第２の状態から前記第１の状態に切換える前に、前記第２の状態から前記第１の状態に向けて、前記第１の状態となる手前まで、予備的に動作させることを特徴とする。
【００１１】
本発明によると、前回の高圧トランスへの電力の供給が停止された時点での電源電圧の位相から、当該高圧トランスにおける、電力の供給開始時の、残留磁束の状態を予測することができる。
【００１２】
また、予備的な動作をさせることにより、リレーは、長期間第１の状態にされていない場合でも、制御部によって第２の状態から第１の状態に動作させられる際には、常に、スムーズに、状態を変更できる。
【００１３】
したがって、高圧トランスに対して、残留磁束の状態を考慮しながら、電力の供給を開始できるため、当該高圧トランスにおける、突入電流を抑えることができる。
【００１４】
さらに、制御部がリレーを第１の状態にする旨の指令を発してから実際にリレーが第１の状態になるまでの時間を一定にできるため、高圧トランスへの電力供給のタイミングを、正確に守ることができる。
【００１５】
また、本発明に従った電子レンジは、前記制御部は、前回の前記第１の状態から前記第２の状態に切換えた時点での前記電源電圧位相を検出できなかった場合には、前記電源電圧位相が特定の位相にある時点で、前記高圧トランスへの電力の供給を開始させることが好ましい。
【００１６】
これにより、高圧トランスにおける残留磁束の状態がどのような状態であっても、突入電流をある程度抑えられるような電源電圧の位相で、高圧トランスへの電力の供給を開始することができる。
【００１７】
また、本発明に従った電子レンジは、前記制御部は、前記リレーに、複数回、前記予備的な動作を実行させることが好ましい。
【００１８】
これにより、より確実に、リレーの動作をスムーズにできる。
【００１９】
また、本発明に従った電子レンジは、前記制御部は、前記リレーに前記予備的な動作をさせた後は、前記リレーを前記第２の状態に戻すことが好ましい。
【００２０】
これにより、リレーを予備的に動作させようとしたにも拘わらず、所定の交流電源から高圧トランスへと電力の供給が行なわれる、という事態を、確実に回避できる。
【００２１】
【発明の実施の形態】
以下に、本発明の一実施の形態である電子レンジについて、図面を参照しつつ説明する。
【００２２】
図１は、本実施の形態の電子レンジの正面図である。電子レンジ１は、主に、本体２、ドア３、および、操作パネル６からなる。本体２は、主に、本体枠５、および、当該本体枠５の外郭を覆う外装部とから構成されている。本体枠５の内部には、食品を収容できる加熱室１０が設けられている。加熱室１０には、当該加熱室１０内の温度を検出するためのサーミスタ２６が備えられている。そして、ドア３は、本体２の前面に、加熱室１０を開閉可能に備えられている。
【００２３】
操作パネル６には、電子レンジ１に対してユーザが種々の情報を入力するための複数のキーが備えられている。また、操作パネル６には、加熱調理の残り時間等の、電子レンジ１の状態を示す表示部６０が備えられている。表示部６０は、たとえば液晶パネルからなり、数字等の記号を表示できる。
【００２４】
図２に、電子レンジ１の、外装部を外した状態での斜視図を示す。
本体枠５上であって、加熱室１０の右隣には、加熱室１０内にマイクロ波を供給するためのマグネトロン２１が備えられている。また、マグネトロン２１の下方には、マグネトロン２１に高電圧を供給するための高圧トランス２２が備えられている。また、マグネトロン２１の後方には、マグネトロン２１や高圧トランス２２を冷却するための冷却ファン２３が備えられている。
【００２５】
図３に、電子レンジ１の電気的構成を示す。
電子レンジ１は、外部の交流電源２０から、電力を供給される。電子レンジ１は、当該電子レンジ１の動作を全体的に制御する制御回路１１を備えている。また、電子レンジ１は、加熱室１０内を照らす庫内灯１０Ａ、冷却ファン２３を回転させるブロアモータ２３Ａ、マグネトロン２１にマイクロ波を発振させるための高周波発振回路１２を備えている。高周波発振回路１２には、マグネトロン２１および高圧トランス２２が含まれる。
【００２６】
また、電子レンジ１では、ドアスイッチ３Ａおよびモニタスイッチ３Ｂが備えられている。ドアスイッチ３Ａおよびモニタスイッチ３Ｂは、いずれも、ドア３の開閉に連動して、図３に示す回路の開閉を切換えるスイッチである。ドアスイッチ３Ａは、ドア３が開かれると回路を開き、ドア３が閉じられると回路を閉じる。これにより、ドア３が開かれたときには、交流電源２０から高周波発振回路１２への電力の供給が不可能となる。したがって、ドアスイッチ３Ａが備えられていることにより、ドア３が開いているにも拘わらず、マグネトロン２１がマイクロ波を発振する事態を回避できる。また、モニタスイッチ３Ｂは、ドア３が閉じられると回路を開き、ドア３が開かれると回路を閉じる。モニタスイッチ３Ｂが備えられていることにより、ドア３が開かれているにも拘わらず、ドアスイッチ３Ａが溶着等により回路を開かない場合でも、交流電源２０から高周波発振回路１２への電力の供給が不可能となる。
【００２７】
電子レンジ１では、さらに、スイッチ１３，１４を備えている。スイッチ１３は、庫内灯１０Ａおよびブロアモータ２３Ａへの電力の供給を切換えるスイッチである。また、スイッチ１４は、高周波発振回路１２への電力の供給を切換えるスイッチである。スイッチ１３，１４の回路の開閉は、いずれも、制御回路１１により、制御される。また、制御回路１１は、操作パネル６およびサーミスタ２６に接続され、これらとの間で、情報の入出力を行なえる。
【００２８】
また、電子レンジ１には、交流電源２０の隣接して、当該交流電源２０に直列に、ヒューズ１９が接続されている。これにより、交流電源２０から電子レンジ１に、危険な高電流が流れ込むことを回避できる。
【００２９】
さらに、電子レンジ１には、スイッチ１１Ａが備えられている。制御回路１１は、電子レンジ１が動作している場合、スイッチ１１Ａに回路を閉じさせている。そして、所定時間電子レンジ１において加熱動作が行なわれない場合等には、制御回路１１は、スイッチ１１Ａに回路を開かせることにより、当該制御回路１１への電力の供給を停止させる。これにより、電子レンジ１において、待機電力が消費されることを回避できる。なお、操作パネル６上の所定のキーを操作されることにより、制御回路１１は、スイッチ１１Ａに、回路を閉じさせることができる。
【００３０】
一般的な交流電源から高圧トランス２２への電力の供給を開始する際の、高圧トランス２２における突入電流のピーク値は、前回、当該高圧トランス２２に対する電力の供給が停止された際の交流電源の電圧の位相（以下、「オフ位相」と略す）に応じて変化する。また、上記の突入電流のピーク値は、高圧トランス２２に対して電力の供給を開始する際の交流電源の電圧の位相（以下、「オン位相」と略す）に応じても、変化する。これらのことについて、図４を参照しつつ、さらに詳細に説明する。なお、以下の文章では、適宜、高圧トランス２２に電力の供給を開始することを、「オン制御」と略す。
【００３１】
図４は、オン位相に対する、突入電流のピーク値を示す図である。なお、図４では、直前のオフ位相が、２００°〜３６０°（１０π／９〜２π）の場合を実線Ａで、２０°〜１８０°（π／９〜π）の場合を破線Ｂで示している。
【００３２】
まず、実線Ａでは、オン位相がＡ1 およびＡ2 の場合に、突入電流が極小値を取っている。なお、Ａ1 とはπ／２より少し低い値（π／３程度）であり、Ａ2 とは３π／２よりも少し高い値（５π／３程度）である。したがって、制御回路１１は、オフ位相が１０π／９〜２πであると判断すると、次回のオン制御では、電源電圧の位相がＡ1 またはＡ2 となるタイミングで高圧トランス２２への電力の供給を開始させる制御を行なう。
【００３３】
一方、破線Ｂでは、オン位相がＢ1 およびＢ2 の場合に、突入電流が極小値を取っている。なお、Ｂ1 とはπ／２より少し高い値（２π／３程度）であり、Ｂ2 とは３π／２よりも少し低い値（４π／３程度）である。したがって、制御回路１１は、オフ位相がπ／９〜πであると判断すると、次回のオン制御では、電源電圧の位相がＢ1 またはＢ2 となるタイミングで高圧トランス２２への電力の供給を開始させる制御を行なう。
【００３４】
なお、突入電流は、実線Ａではオン位相がπのときに、また、破線Ｂではオン位相が０（２π）のときに、極大値をとる。実線Ａ、破線Ｂのいずれの場合でも、極大値の突入電流の電流値は、極小値の電流値の５倍程度となる。つまり、上記したようにオン位相を制御することにより、電子レンジ１では、突入電流を、最大１／５程度に抑える、という効果を奏することができる。
【００３５】
また、制御回路１１は、オフ位相が、上記以外、つまり、０〜π／９またはπ〜１０π／９であると判断すると、次回のオン制御では、電源電圧の位相がπ／２または３π／２となるタイミングに合わせて、高圧トランス２２への電力の供給を開始する制御を行なう。これは、電源電圧の位相がπ／２または３π／２となると、図１１（Ｂ）に破線で示すように、磁束が最小となり、これにより、突入電流を最小に抑えることができるためである。
【００３６】
図３から理解されるように、高周波発振回路１２に対する電力の供給の有無の切換えは、スイッチ１４に回路を開閉させることによって行なわれる。なお、スイッチ１４は、リレーにより構成される。また、制御回路１１には、スイッチ１４を構成するリレーに対応したリレーコイルが備えられている。そして、スイッチ１４による回路の開閉は、制御回路１１が、当該リレーコイルへの通電状態を切換えることにより、切換えられる。
【００３７】
ここで、制御回路１１による、電源電圧の位相に応じたスイッチ１４の動作の制御を、図５を参照して、より詳細に説明する。図５は、電源電圧の波形を、リレー駆動信号の状態およびリレーの接点状態と共に示す図である。なお、電源電圧の波形とは、交流電源２０の供給する電圧の時間変化に対応する。リレー駆動信号の状態とは、制御回路１１が、スイッチ１４に回路を閉じさせるための信号を発したタイミング、つまり、上記のリレーコイルに通電を開始したタイミングを意味している。そして、リレー接点状態とは、スイッチ１４が、回路を開閉している状態を意味している。なお、図５では、スイッチ１４が回路を開いているときはリレー接点がＯｆｆであると記載され、回路と閉じているときはリレー接点がＯｎであると記載されている。また、図５には、Ａ〜Ｃの、３パターンの、リレー駆動信号の状態とリレーの接点状態が示されている。
【００３８】
まず、Ａパターンについて、電源電圧の波形、リレー駆動信号Ａ、および、リレー接点状態Ａを参照する。このパターンでは、電源電圧の位相がπ〜１０π／９にあるときに、リレー接点がＯｎからＯｆｆに切換えられている。なお、スイッチ１４は、制御回路１１がリレー駆動信号を発してからＴｏｆｆ後に、回路を開いている。そして、制御回路１１は、電源電圧の位相がπ〜１０π／９にあるときに、リレー接点がＯｎからＯｆｆに切換えられたことを検出できた場合には、電源電圧の位相がＡ1 でリレー接点がＯｆｆからＯｎに切換わるように、リレー駆動信号をＯｎにする。なお、リレー接点は、リレー駆動信号が発信されてからＴｏｎ後に、Ｏｎに切換わる。
【００３９】
次に、Ｂパターンについて、電源電圧の波形、リレー駆動信号Ｂ、および、リレー接点状態Ｂを参照する。このパターンでは、電源電圧の位相がπ／９〜πにあるときに、リレー接点がＯｎからＯｆｆに切換えられている。なお、スイッチ１４は、制御回路１１がリレー駆動信号を発してからＴｏｆｆ後に、回路を開いている。そして、制御回路１１は、電源電圧の位相がπ／９〜πにあるときに、リレー接点がＯｎからＯｆｆに切換えられたことを検出できた場合には、電源電圧の位相がＢ1 でリレー接点がＯｆｆからＯｎに切換わるように、リレー駆動信号をＯｎにする。
【００４０】
次に、Ｃパターンについて、電源電圧の波形、リレー駆動信号Ｃ、および、リレー接点状態Ｃを参照する。このパターンは、制御回路１１が、リレー接点がＯｎからＯｆｆに切換えられた時点での電源電圧の位相を検出できなかった状態を示している。制御回路１１は、このような状態では、電源電圧の位相がπ／２である時点でリレー接点がＯｆｆからＯｎに切換わるように、リレー駆動信号をＯｎにする。電源電圧の位相がπ／２であれば、図４に示す実線Ａまたは破線Ｂのいずれの場合であっても、突入電流のピーク値はさほど大きな値とはならないからである。具体的には、図４に示す実線Ａまたは破線Ｂのいずれの場合であっても、突入電流のピーク値は、極大値の半分程度に抑えられる。なお、同様の理由から、リレー接点をＯｆｆからＯｎに切換えるのは、電源電圧の位相が３π／２の時点であってよい。
【００４１】
以上説明したように、制御回路１１は、高圧トランス２２への突入電流のピーク値を抑えるように、スイッチ１４の動作を制御する。つまり、通常の加熱調理では、調理メニュー等で予め定められた時間の加熱が完了すると、制御回路１１は、電源電圧の位相が０〜π／９またはπ〜１０π／９となったときにスイッチ１４に回路を開かせて、高周波発振回路１２（高圧トランス２２）への電力の供給を停止させる。
【００４２】
また、加熱調理の途中でドア３が開かれる等により、電源電圧の位相が０〜π／９およびπ〜１０π／９以外にあるときに高圧トランス２２への電力の供給が停止された場合には、制御回路１１は、スイッチ１４が回路を開いた時点での電源電圧の位相を検出しておく。そして、当該電源電圧の位相に応じて、次回、スイッチ１４に回路を閉じさせるタイミングを調整する（図５のパターンＡまたはパターンＢ）。そして、このように、スイッチ１４に回路を閉じさせるタイミングを制御することにより、高圧トランス２２における突入電流を、１／５程度まで抑えることができる（図４参照）。
【００４３】
ただし、制御回路１１は、前回、スイッチ１４が回路を開いた時点での電源電圧の位相を検出できなかった場合には、電源電圧の位相がπ／２または３π／２でスイッチ１４に回路を閉じさせる（図５のパターンＣ）。このように制御を行なうだけでも、高圧トランス２２における突入電流を、極大値の半分程度に抑えることができる。つまり、高圧トランス２２における突入電流を、１／２．５程度で抑えることができる。
【００４４】
なお、スイッチ１４は、上記したように、リレーによって構成される。そして、スイッチ１４による回路の開閉を長期間行なわなかった場合、当該スイッチ１４を構成するリレーの動きが鈍る事態が想定される。図６に、スイッチ１４について、長期間回路の開閉を行なわせなかった後、連続的に、回路の開閉をさせた際の、制御回路１１がリレーコイルへ通電を開始してから実際に回路が閉じるまでの時間（動作時間）の変化を示す。図６において、縦軸は、動作時間を示し、横軸は、長期間回路の開閉を行なわなかった後の、スイッチ１４（リレー）の動作回数を示す。
【００４５】
図６を参照して、リレーの動作時間は、１回目ではＴ2 （１０．４ｍｓｅｃ程度）となり、２回目ではＴ1 （８．８ｍｓｅｃ程度）となり、３回目以降ではＴ0 （８ｍｓｅｃ程度）となる。このことから、スイッチ１４に、長期間、回路の開閉動作を行なわせていなければ、スイッチ１４の動作時間は安定しなくなることが理解される。
【００４６】
そこで、電子レンジ１では、マグネトロン２１に加熱動作を開始させる際、スイッチ１４に、予備的な動作をさせた後、図３に示す回路を閉じさせる。この予備的な動作を、図７のタイミングチャートを参照して、より具体的に説明する。なお、図７のタイミングチャートは、マグネトロン２１による加熱動作を実行させる際に制御回路１１の発する信号のタイミングチャートである。そして、図７（Ａ）は、スイッチ１３の動作を切換えるための信号についてのチャートであり、図７（Ｂ）は、スイッチ１４の動作を切換えるための信号についてのチャートである。なお、スイッチ１３およびスイッチ１４は、いずれもリレーにより構成されており、図７（Ａ）および図７（Ｂ）に示す信号は、それぞれ、対応するリレーを駆動するためのリレーコイルへの、通電のＯＮ／ＯＦＦについての信号である。
【００４７】
加熱動作を開始する際、まず、制御回路１１は、スイッチ１３についてのリレー駆動信号をＯＮして、スイッチ１３に回路を閉じさせる。これにより、庫内灯１０Ａが点灯し、冷却ファン２３が回転する。
【００４８】
そして、制御回路１１は、スイッチ１４についてのリレー駆動信号を、ＴｘだけＯＮする。これにより、図３に示す回路を開く状態にあったスイッチ１４が、Ｔｘの期間だけ、当該回路を閉じる方向に移動する（図７（Ｂ）中のＪ1 のパルスに対応）。なお、スイッチ１４は、対応するリレーコイルにＴｘという期間だけ通電されても、図３に示す回路を閉じる状態にまでは移動しない。そして、その後、制御回路１１は、Ｔｙだけ、スイッチ１４についてのリレー駆動信号をＯＦＦする。これにより、スイッチ１４は、図３の回路を開く方向に移動する。なお、スイッチ１４は、Ｔｘの期間だけ図３の回路を閉じる方向に移動した後、Ｔｙの期間、対応するリレーコイルへの通電を解除されると、完全に、図３の回路を開く状態となる。そして、その後、制御回路１１は、スイッチ１４に図３の回路を閉じさせるように、継続的に、スイッチ１４についてのリレー駆動信号をＯＮにする。
【００４９】
つまり、電子レンジ１では、スイッチ１４に、継続的に回路を閉じさせる前に、Ｊ1 に対応させて、予備的な移動を実行させる。これにより、スイッチ１４が長期間動作していない場合でも、高圧トランス２２に通電させるために図３の回路を閉じさせる前に、スイッチ１４の動作を滑らかにすることができる。これにより、制御回路１１によって、スイッチ１４に図３の回路を閉じさせるタイミング、つまり、高圧トランス２２に電力の供給を開始するタイミングを、正確に制御できる。
【００４０】
なお、上記した予備的な移動は、図７（Ｂ）に示すように１回に限定されない。図７（Ｃ）は、図７（Ｂ）の変形例である。そして、予備的な移動は、図７（Ｃ）中のＪ1 〜Ｊ3 のように、複数回実行されてもよい。
【００５１】
次に、電子レンジ１において加熱動作が実行される際の、制御回路１１による処理内容を説明する。図８に、制御回路１１によって実行されるメインルーチンのフローチャートを示す。
【００５２】
図８を参照して、まず、制御回路１１は、Ｓ１で、操作パネル６において、加熱動作の開始を指示する操作がなされたか否かを判断する。当該操作がなされたと判断すると、Ｓ２に進む。
【００５３】
Ｓ２で、制御回路１１は、マグネトロン２１による加熱を開始させるための加熱開始処理を実行して、Ｓ３に進む。加熱開始処理の詳細については後述する。
【００５４】
Ｓ３で、制御回路１１は、Ｓ２で加熱を開始してから、予め定められた加熱時間が経過したか否か、または、操作パネル６において加熱動作を終了させる旨の操作がなされたか否かを判断する。そして、まだ加熱時間が経過していないと判断し、かつ、加熱動作を終了させるような操作がなされていないと判断すると、Ｓ４に進む。一方、加熱時間が経過したか、または、加熱動作を終了させるような操作がなされたと判断すると、Ｓ５に進む。なお、電子レンジ１では、複数の調理メニューに対応した加熱調理が可能であり、加熱時間は、そのメニューごとに、異なった時間が定められる。
【００５５】
Ｓ５で、制御回路１１は、スイッチ１４に図３の回路を開かせることにより、高周波発振回路１２への電力の供給を停止させて、Ｓ６に進む。なお、制御回路１１は、交流電源２０の電圧の位相が０〜π／９またはπ〜１０π／９にあるときにスイッチ１４に回路を開かせる。
【００５６】
Ｓ６で、制御回路１１は、内臓するメモリに、Ｓ５でスイッチ１４に回路を開かせた際の交流電源２０の電圧の位相（０〜π／９またはπ〜１０π／９）を書込み、Ｓ１０に進む。
【００５７】
一方、Ｓ４で、制御回路１１は、ドア３が開かれる等により、高周波発振回路１２への電力の供給が中断されたか否かを判断する。そのような中断があれば、Ｓ７に進み、そのような中断がなければ、Ｓ３に戻る。
【００５８】
Ｓ７で、制御回路１１は、スイッチ１４に、図３の回路を開かせて、Ｓ８に進む。これにより、電子レンジ１では、加熱が中断された場合、再度、加熱の開始を指示する旨の操作がなされたことを条件として、加熱動作が実行される。
【００５９】
Ｓ８で、制御回路１１は、加熱が中断された時点で、交流電源２０が供給していた電圧の位相を検出できるか否かを判断する。検出できた場合には、Ｓ９で、検出した位相を、内臓するメモリに書込み、Ｓ１に戻る。一方、検出できなかった場合には、そのまま、Ｓ１に戻る。
【００６０】
一方、Ｓ１０では、制御回路１１は、加熱が終了した旨を、音声または表示により報知して、Ｓ１１に進む。
【００６１】
Ｓ１１で、制御回路１１は、加熱室１０の温度に応じて、表示部６０の表示態様を変化させる温度報知処理を実行した後、Ｓ１に戻り、加熱を指示する操作を待つ。なお、温度報知処理の詳細な内容については、後述する。
【００６２】
次に、Ｓ２の、加熱開始処理の内容について、説明する。図９は、加熱開始処理のサブルーチンのフローチャートである。
【００６３】
加熱開始処理では、まずＳ２１で、制御回路１１は、図７を参照して説明したように、スイッチ１４を予備的に移動させて、Ｓ２２に進む。
【００６４】
Ｓ２２で、制御回路１１は、内臓するメモリに、高圧トランス２２への通電が停止された際の交流電源２０の電圧の位相が書込まれているか否かを判断する。当該位相が書込まれていると判断すると、Ｓ２３に進み、書込まれていないと判断すると、Ｓ２４に進む。
【００６５】
Ｓ２３では、制御回路１１は、メモリに書込まれている位相θが、０〜π／９またはπ〜１０π／９に含まれるか否かを判断する。そして、当該範囲に含まれると判断すると、Ｓ２４に進み、含まれないと判断すると、Ｓ２５に進む。
【００６６】
Ｓ２５で、制御回路１１は、メモリに書込まれている位相θが、１０π／９＜θ＜２πの範囲にあるか否かを判断する。そして、当該範囲にあると判断すると、Ｓ２６に進み、含まれないと判断すると、Ｓ２７に進む。
【００６７】
Ｓ２４，Ｓ２６，Ｓ２７のそれぞれで、制御回路１１は、スイッチ１４に図３の回路を閉じさせる際の交流電源２０の電圧の位相ＮＰを、π／２または３π／２，Ａ1 またはＡ2 ，Ｂ1 またはＢ2 と決定して、Ｓ２８に進む。
【００６８】
Ｓ２８で、制御回路１１は、Ｓ２４，Ｓ２６またはＳ２７で決定したＮＰで、スイッチ１４に図３の回路を閉じさせ、Ｓ２９で、メモリに書込んだ位相をクリアして、リターンする。
【００６９】
次に、図８のＳ１１の温度報知処理について、説明する。図１０は、温度報知処理のサブルーチンのフローチャートである。
【００７０】
温度報知処理で、制御回路１１は、まず、Ｓ１１１で、サーミスタ２６の検出温度Ｔｔが１００℃を超えているか否かを判断する。越えていると判断すると、Ｓ１１３に進み、１００℃以下であると判断すると、Ｓ１１２に進む。
【００７１】
Ｓ１１２では、制御回路１１は、表示部６０のバックライトの色を赤として、Ｓ１１１に戻る。
【００７２】
Ｓ１１３では、制御回路１１は、サーミスタ２６の検出温度Ｔｔが５０℃を下回ったか否かを判断する。そして、まだ５０℃を下回っていないと判断すると、Ｓ１１４に進み、表示部６０のバックライトの色を橙として、Ｓ１１１に戻る。一方、５０℃を下回ったと判断すると、Ｓ１１５に進む。
【００７３】
Ｓ１１５で、制御回路１１は、表示部６０のバックライトの色を黄として、Ｓ１１６に進む。
【００７４】
Ｓ１１６で、制御回路１１は、サーミスタ２６の検出温度Ｔｔが５０℃未満となってから所定の時間（たとえば３分）が経過したか否かを判断する。そして、まだ、当該所定の時間が経過していないと判断すると、Ｓ１１１に戻り、所定の時間が経過したと判断すると、Ｓ１１７に進む。Ｓ１１７では、表示部６０の表示を終了させ、リターンする。
【００７５】
以上説明した温度報知処理によると、Ｔｔが１００℃を越える場合には、表示部６０のバックライトの表示色は赤とされ、Ｔｔが５０℃から１００℃の場合には、表示部６０のバックライトの表示色は橙とされ、Ｔｔが５０℃を下回る場合には、表示部６０のバックライトの表示色は黄とされる。これにより、加熱調理が終了した後であっても、間接的に、ユーザに、加熱室１０の温度を知らせることができるため、ユーザが、加熱室１０が高温であることを知らずに、不用意に加熱室１０または電子レンジ１に触れることを回避できる。
【００７６】
また、Ｔｔが５０℃を下回ってから所定の時間が経過すると、表示部６０の表示が終了する。これにより、表示部６０が、無駄に表示動作を行なうことを回避できる。したがって、電子レンジ１では、加熱調理後に、ユーザに、加熱室１０が高温であることについて注意を喚起しながら、電力を無駄に消費することを回避できる。
【００７７】
また、制御回路１１は、温度報知処理において、Ｔｔに応じて表示部６０のバックライトの表示色を変更したが、これに代えて、表示部６０において表示される文字や数字等の記号の表示色を変更してもよい。
【００７８】
なお、Ｓ１１７において、制御回路１１は、表示部６０における表示動作を終了させることに代えて、スイッチ１１Ａに回路を開かせることにより、当該制御回路１１への電力の供給を停止させてもよい。なお、制御回路１１への電力の供給が停止されるということは、電子レンジ１に対する電力の供給が停止されることに相当する。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の一実施の形態の電子レンジの正面図である。
【図２】  図１の電子レンジの、外装部を外した状態の斜視図である。
【図３】  図１の電子レンジの、電気的構成を示す図である。
【図４】  図１の電子レンジの高圧トランスに対して電力の供給を開始する際の、交流電源の電圧の位相に対する、突入電流のピーク値を示す図である。
【図５】  図１の電子レンジについて、電源電圧の波形、リレー駆動信号の状態、および、リレーの接点状態を示す図である。
【図６】  図１の電子レンジにおいて、高周波発振回路への電力の供給の有無を切換えるリレーについて、長期間回路の開閉を行なわせなかった後、連続的に回路の開閉をさせた際の、リレーコイルへ通電を開始してから実際に回路が閉じるまでの時間（動作時間）の変化を示す図である。
【図７】  図１の電子レンジにおいて加熱を実行する際の、制御回路の、各種スイッチのＯＮ／ＯＦＦを切換える信号のタイミングチャートである。
【図８】  図１の電子レンジの制御回路が実行するメインルーチンのフローチャートである。
【図９】  図８の加熱開始処理のサブルーチンのフローチャートである。
【図１０】  図８の温度報知処理のサブルーチンのフローチャートである。
【図１１】  電子レンジにおける、高圧トランスの特性を示す図である。
【符号の説明】
１  電子レンジ、６  操作パネル、１０  加熱室、１１  制御回路、１１Ａ，１３，１４  スイッチ、１２  高周波発振回路、２０  交流電源、２１  マグネトロン、２２  高圧トランス、６０  表示部。
【図１】
0003685695.tif 000002
【図２】
0003685695.tif 000003
【図３】
0003685695.tif 000004
【図４】
0003685695.tif 000005
【図５】
0003685695.tif 000006
【図６】
0003685695.tif 000007
【図７】
0003685695.tif 000008
【図８】
0003685695.tif 000009
【図９】
0003685695.tif 000010
【図１０】
0003685695.tif 000011
【図１１】
0003685695.tif 000012